(57)【要約】【課題】本発明は一つの画素の内に５個のカラーサブ画素を有する液晶パネルを駆動するための液晶パネルの駆動方法及び装置に関するものである。【解決手段】本発明による液晶パネルの駆動方法は液晶パネルを駆動する方法において、画素の中央部に配置された複数の第１色のサブ画素の中に所定の間隔で離隔して配置されると共に隣接した前記第１色のサブ画素を短絡させ前記隣接した第１色のサブ画素に第１色のデータを印加する段階と、前記一つの画素内で前記中央部の一方の端部に配置された複数の第２色のサブ画素に第２色のデータを印加する段階と、前記一つの画素内で前記中央部の他方の端部に配置された複数の第３色のサブ画素に第３色のデータを印加する段階を含むことを特徴とする。【選択図】図７Ｂ
2008224743.tif 000002
【特許請求の範囲】
【請求項１】
スイッチング素子を有する複数のサブ画素から成る複数の画素と、データドライバ及びゲートドライバと、前記スイッチング素子の各々を介して前記データドライバに連結された複数のデータラインと、前記スイッチング素子の各々を介して前記ゲートドライバに連結された複数のゲートラインとを備えた液晶表示装置の液晶パネルを駆動する方法において、
前記複数の画素のうち一つの画素において、該一つの画素の中央部に配置された第１色のサブ画素は他の一つの画素の第１色のサブ画素に短絡されており、該他の一つの画素の第１色のサブ画素を介して、前記第１色のサブ画素に第１色のデータを印加する段階と、
前記一つの画素の中央部を取り囲む複数の端部のうち、少なくとも１つの端部に配置された第２色のサブ画素に第２色のデータを印加する段階と、
前記複数の端部のうち少なくとも１つの端部に配置された第３色のサブ画素に第３色のデータを印加する段階とを含み、
前記第１色は、赤、青、及び緑のうち何れか一色であり、前記第２色は、赤、青、及び緑から前記第１色を除いた二色のうち何れか一色であり、前記第３色は、赤、青、及び緑から前記第１色及び前記第２色を除いた一色であることを特徴とする液晶パネルの駆動方法。
【請求項２】
前記第２色のデータを印加する段階は、前記一つの画素内に配置された第１色のサブ画素を中心に対角線方向に対向して配置された第２色のサブ画素にデータを印加する段階を含むことを特徴とする請求項１記載の液晶パネルの駆動方法。
【請求項３】
前記第３色のデータを印加する段階は、前記一つの画素内に配置された第１色のサブ画素を中心に対角線方向に対向して配置された第３色のサブ画素にデータを印加する段階を含むことを特徴とする請求項１記載の液晶パネルの駆動方法。
【請求項４】
前記対角線方向に対向して配置された第２色のサブ画素に相互に反転した極性のデータ信号を印加する段階を含むことを特徴とする請求項２記載の液晶パネルの駆動方法。
【請求項５】
前記対角線方向に対向して配置された第３色のサブ画素に相互に反転した極性のデータ信号を印加する段階を含むことを特徴とする請求項３記載の液晶パネルの駆動方法。
【請求項６】
前記複数の画素の各画素において、該各画素の中央部に配置された第１色のサブ画素に、所定の間隔をおいて相互に反転した極性のデータ信号を印加する段階を含むことを特徴とする請求項１記載の液晶パネルの駆動方法。
【請求項７】
複数のサブ画素を含む画素をマトリックス形態に配列した液晶パネルを駆動する装置において、前記サブ画素に選択的に赤色、緑色、青色のデータを入力する信号選択手段と、外部から入力される水平同期信号及びドットクロックを利用して前記信号選択手段を制御する制御信号を生成する制御信号生成手段と、前記信号選択手段により出力されたデータを前記複数のサブ画素に印加して画像を表示する液晶パネルとを具備することを特徴とする液晶パネルの駆動装置。
【請求項８】
前記信号選択手段は液晶パネルの駆動の際に前記制御信号により赤色のデータ及び緑色のデータを交互に供給する第１信号選択手段と、青色のデータを所定の周期で供給する第２信号選択手段とを具備することを特徴とする請求項７記載の液晶パネルの駆動装置。
【請求項９】
前記制御信号生成手段は前記ドットクロックを利用して前記緑色のデータを所定の周期で供給する制御信号を印加する第１制御信号生成手段と、前記水平同期信号を利用して前記信号選択手段と第１制御信号生成手段とに制御信号を印加する第２制御信号生成手段とを具備することを特徴とする請求項７記載の液晶パネルの駆動装置。
【請求項１０】
スイッチング素子を有する第１〜第５サブ画素を備える画素と、データ・ドライバ及びゲート・ドライバと、それぞれのスイッチング素子を介して前記データ・ドライバに連結された複数のデータラインと、それぞれのスイッチング素子を介して前記ゲート・ドライバに連結された複数のゲートラインとを具備して、前記第１及び第２サブ画素は第１データラインに連結されて、前記第３サブ画素は第２データラインに連結されて、前記第４及び第５サブ画素は第３データラインに連結されて、前記第３サブ画素のスイッチング素子は５個のサブ画素を有する隣接した画素内の第３サブ画素のスイッチング素子と連結されることを特徴とする液晶表示装置。
【請求項１１】
スイッチング素子を有する第１〜第５サブ画素を備える画素と、スイッチング素子を有する第６〜第１０サブ画素を備える第２画素、データ・ドライバ及びゲート・ドライバと、それぞれのスイッチング素子を介して前記データ・ドライバに連結された複数のデータラインと、それぞれのスイッチング素子を介して前記ゲート・ドライバに連結された複数のゲートラインとを具備して、前記第１及び第２サブ画素は第１データラインに連結されて、前記第３サブ画素は第２データラインに連結されて、前記第４及び第５サブ画素は第３データラインに連結されて、前記第６及び第７サブ画素は第４データ・ラインに連結されて、前記８サブ画素は第５データラインに連結されて、第９及び第１０サブ画素は第６データ・ラインに連結されて、前記第１画素の第３サブ画素は前記第２画素の第８サブ画素と連結されることを特徴とする液晶表示装置。
【請求項１２】
前記データ・ドライバの第１出力ラインは前記第１及び第２サブ画素に連結されて、前記データ・ドライバの第２出力ラインは前記のいずれのサブ画素とも連結されず、前記データ・ドライバの第３出力ラインは前記第４及び第５サブ画素に連結されて、前記データ・ドライバの第４出力ラインは前記第６及び第７サブ画素に連結されて、前記データ・ドライバの第５出力ラインは前記第８サブ画素に連結されて、前記データ・ドライバの第６出力ラインは前記第９及び第１０サブ画素に連結されることを特徴とする請求項１１に記載の液晶表示装置。
【請求項１３】
５個のサブ画素を有するそれぞれのピクセルアレイと、各々が３個のデータラインのグループに接続された画素に連結された複数のデータラインとを具備して、前記３個のデータラインのグループの中の一つのグループに属する３個のデータラインは異なる３個のデータラインのグループ内のデータラインと連結されることを特徴とする液晶表示装置。
【発明の詳細な説明】
【技術分野】
【０００１】
本発明は液晶パネルに関するもので、特に一つの画素内に５個のカラーサブ画素を有する液晶パネルを駆動する液晶パネルの駆動方法、その駆動装置及びその液晶表示装置に関するものである。
【背景技術】
【０００２】
液晶表示装置（Liquid Crystal Display）は通常、ビデオ信号により液晶セルの光透過率を調節して画像を表示する。液晶セル毎にスイッチング素子が形成されたアクティブ・マトリックス（Active Matrix）タイプの液晶表示装置は動画像を表示するのに適している。アクティブ・マトリックス・タイプの液晶表示装置に使用されるスイッチング素子としては薄膜トランジスタ（Thin Film Transistor；以下″ＴＦＴ″という）が利用される。
【０００３】
図１は一般的な液晶表示装置のブロック構成図を示す。
【０００４】
図１を参照すると、液晶表示装置の駆動装置はアナログ・ビデオ・データをデジタル・ビデオ・データに変換するためのデジタル・ビデオ・カード（１）と、液晶パネル（６）のデータライン（ＤＬ）にビデオ・データを供給するためのデータ・ドライバ（３）と、液晶パネル（６）のゲートライン（ＧＬ）を逐次的に駆動するためのゲート・ドライバ（５）と、データ・ドライバ（３）とゲート・ドライバ（５）を制御するためのタイミング・コントローラ（２）とを具備する。
【０００５】
液晶パネル（６）は二枚のガラス基板の間に液晶が注入されて、その下部のガラス基板の上にゲートライン（ＧＬ）とデータライン（ＤＬ）が相互に直交して形成される。ゲートライン（ＧＬ）とデータライン（ＤＬ）との交差部にはデータライン（ＤＬ）から入力される画像を液晶セル（Ｃｌｃ）に選択的に供給するためのＴＦＴが形成される。このため、ゲートライン（ＧＬ）にはＴＦＴのゲート端子が接続されて、データライン（ＤＬ）にはＴＦＴのソース端子が接続される。そしてＴＦＴドレイン端子は液晶セル（Ｃｌｃ）の画素電極に接続される。
【０００６】
デジタル・ビデオ・カード（１）はアナログ入力画像信号を液晶パネル（６）に適合するデジタル画像信号に変換して画像信号に含まれた同期信号を検出する。
【０００７】
タイミング・コントローラ（２）はデジタル・ビデオ・カード（１）からの赤色（Ｒ）、緑色（Ｇ）及び青色（Ｂ）のデジタル・ビデオ・データをデータ・ドライバ（３）に供給する。また、タイミング・コントローラ（２）はデジタル・ビデオ・カード（１）から入力される水平/垂直同期信号（Ｈ、Ｖ）を利用してドットクロック（Ｄｃｌｋ）及びゲート・スタート・パルス（Ｇｓｐ）などのデータとゲートの制御信号とを生成することにより、データ・ドライバ（３）とゲート・ドライバ（５）をタイミング制御する。ドットクロック（Ｄｃｌｋ）などのデータの制御信号はデータ・ドライバ（３）に供給され、一方、ゲート・スタート・パルス（Ｇｓｐ）などのゲート制御信号はゲート・ドライバ（５）に供給される。
【０００８】
ゲート・ドライバ（５）はタイミング・コントローラ（２）から入力されるゲート・スタート・パルス（Ｇｓｐ）に応答して逐次的にスキャンパルスを発生するシフト・レジスタ（図示しない）と、スキャンパルスの電圧を液晶セル（Ｃｌｃ）の駆動に適合するレベルにシフトさせるためのレベル・シフト（図示しない）などによって構成される。このゲート・ドライバ（５）から入力されるスキャンパルスに応答してＴＦＴによりデータライン（ＤＬ）上のビデオ・データが液晶セル（Ｃｌｃ）の画素電極に供給される。
【０００９】
データ・ドライバ（３）にはタイミング・コントローラ（２）からの赤色（Ｒ）、緑色（Ｇ）及び青色（Ｂ）のデジタル・ビデオ・データと共にドットクロック（Ｄｃｌｋ）が入力される。このデータ・ドライバ（３）はドットクロック（Ｄｃｌｋ）に同期して赤色（Ｒ）、緑色（Ｇ）及び青色（Ｂ）のデジタル・ビデオ・データをラッチした後に、ラッチされたデータをガンマ電圧（Ｖγ）により補正する。そしてデータ・ドライバ（３）はガンマ電圧（Ｖγ）により補正されたデータをアナログ・データに変換して１ライン分ずつデータライン（ＤＬ）に供給する。
【００１０】
図２は図１の液晶表示装置の画素とＴＦＴ構造の関係を詳細に表す図面である。
【００１１】
図２を参照すると、液晶表示装置の画素は４個のデータライン（ＤＬ１〜ＤＬ４）と２個のゲートライン（ＧＬ１、ＧＬ２）により区画された領域に構成されている。そして、ゲートライン（ＧＬ１、ＧＬ２）とデータライン（ＤＬ１、ＤＬ２）により囲まれた領域に１個の画素電極（１２ａ）が設置されてこの領域が１個の画素になり、同様にして、ゲートライン（ＧＬ１、ＧＬ２）とデータライン（ＤＬ２、ＤＬ３）とにより囲まれた領域に１個の画素電極（１２ｂ）が設置されてこの領域が１個の画素になり、ゲートライン（ＧＬ１、ＧＬ２）とデータライン（ＤＬ３、ＤＬ４）とにより囲まれた領域に１個の画素電極（１２ｃ）が設置されてこの領域が１個の画素になる。これらの３個の画素により１個の画素（１６）が構成されると共に各画素電極（１２）の側部側にそれぞれスイッチ素子としてＴＦＴ（１４）が構成される。
【００１２】
また、画素電極が構成された透明基板に対向する異なる基板にはカラーフィルター（Ｒ、Ｇ、Ｂ）が設置されるが、この形態では図２に示されている１個の画素の中の左段の画素電極（１２ａ）に対向する位置に図３に示されているようにＲのカラーフィルターが、中段の画素電極（１２ｂ）に対向する位置にＧのカラーフィルターが、右段の画素電極（１２ｃ）に対向する位置にＢのカラーフィルターがそれぞれ配置される。
【００１３】
この形態でＶＧＡ仕様の表示を行うためにデータライン（ＤＬ）は６４０個、ゲートライン（ＧＬ）が４８０個設置されているので、画素は１画面上に３０７２００個形成されている。
【００１４】
図３は図１に図示された従来の液晶表示装置によるＲＧＢカラーフィルターの配列状態をゲート・ドライバ（５）及びデータ・ドライバ（３）の接続状態により表す図面である。
【００１５】
図３を参照すると、液晶表示装置は６バス方式の入力信号（Ｒｅ、Ｇｅ、Ｂｅ、Ｒｏ、Ｇｏ、Ｂｏ）を入力受けてデータクロックに同期して１からｎ番目のデータライン（ＤＬ１〜ＤＬｎ）までを出力させる。
【００１６】
Ｒ信号はデータ・ドライバ（３）を通して第１データライン（ＤＬ１）に出力されて、Ｇ信号はデータ・ドライバ（３）を通して第２データライン（ＤＬ２）に出力されて、Ｂ信号はデータ・ドライバ（３）を通して第３データライン（ＤＬ３）に出力される。前記の信号は３個の出力が一つのセットになって繰り返す。
【００１７】
この際、データ・ドライバ（３）を通したライン配置によりＢ信号はデータ・ドライバ（３）を通して第１データライン（ＤＬ１）に出力されて、Ｇ信号はデータ・ドライバ（３）を通して第２データライン（ＤＬ２）に出力されて、Ｂ信号はデータ・ドライバ（３）を通して第３データライン（ＤＬ３）に出力される。
【００１８】
そして、従来技術の液晶表示装置により駆動される液晶パネルは図４A及び図４Bに示されているようにドット反転方式を採用している。ドット反転方式の液晶パネルの駆動方法では図４A及び図４Bで示されているように液晶パネル上のコラムライン（columnline）及びローライン（rowline）別に隣接した液晶セルに交互に相反した極性のデータ信号を供給すると共にフレーム毎に液晶パネル上のすべての液晶セルに供給されるデータ信号の極性を反転させる。換言すれば、ドット反転方式ではフレーム毎のビデオ信号が表示される場合に図４Aに示されているようにローラインの左側の液晶セルから右側の液晶セルに移行するにつれてそして、コラムラインの上から下の液晶セルに移行するにつれて正極性（＋）及び負極性（−）が交替に表れるようにデータ信号を液晶パネル上の液晶セルにそれぞれ供給する。そして、次のフレームのビデオ信号が表示される場合には図４Bで示されているように各液晶セルに供給されるデータ信号の極性は、直前のフレームの極性に対して反転される。
【００１９】
しかし従来のストライプ（Stripe）方式の画素を有する液晶パネルの駆動方法は、色純度あるいは動画像の画質を更に向上させるには限界がある。
【発明の開示】
【発明が解決しようとする課題】
【００２０】
従って、本発明の目的は、一つの画素中に５個のカラーサブ画素を配置した構造を有する液晶パネルの駆動方法、その駆動装置及びその液晶表示装置を提供することにある。
【課題を解決するための手段】
【００２１】
前記目的を達成するために、本発明による液晶パネルの駆動方法は、スイッチング素子を有する複数のサブ画素から成る複数の画素と、データドライバ及びゲートドライバと、前記スイッチング素子の各々を介して前記データドライバに連結された複数のデータラインと、前記スイッチング素子の各々を介して前記ゲートドライバに連結された複数のゲートラインとを備えた液晶表示装置の液晶パネルを駆動する方法において、前記複数の画素のうち一つの画素において、該一つの画素の中央部に配置された第１色のサブ画素は他の一つの画素の第１色のサブ画素に短絡されており、該他の一つの画素の第１色のサブ画素を介して、前記第１色のサブ画素に第１色のデータを印加する段階と、前記一つの画素の中央部を取り囲む複数の端部のうち、少なくとも１つの端部に配置された第２色のサブ画素に第２色のデータを印加する段階と、前記複数の端部のうち少なくとも１つの端部に配置された第３色のサブ画素に第３色のデータを印加する段階とを含み、前記第１色は、赤、青、及び緑のうち何れか一色であり、前記第２色は、赤、青、及び緑から前記第１色を除いた二色のうち何れか一色であり、前記第３色は、赤、青、及び緑から前記第１色及び前記第２色を除いた一色であることを特徴とする。
【００２２】
この時、第２色のデータを印加する段階は前記一つの画素内に第１色のサブ画素を中心に対角線方向に対向して配置された第２色のサブ画素にデータを印加する段階を含むことを特徴とする。
【００２３】
また第３色のデータを印加する段階は前記一つの画素内に第１色のサブ画素を中心に対角線方向に対向して配置された第３色のサブ画素にデータを印加する段階を含むことを特徴とする。
【００２４】
本発明による液晶パネルの駆動装置は多数のサブ画素を含む画素をマトリックス形態に配列した液晶パネルを駆動する装置において、前記サブ画素に選択的に赤、緑、青色のデータを入力する信号選択手段と、外部から入力される水平同期信号及びドットクロックを利用して前記信号選択手段を制御する制御信号を生成する制御信号生成手段と、前記信号選択手段により出力されたデータを前記サブ画素に印加して画像を表示する液晶パネルとを具備することを特徴とする。
【００２５】
本発明での信号選択手段は液晶パネルの駆動の際に前記制御信号により赤色のデータ及び緑色のデータを交互に供給する第１信号選択手段と、青色のデータを所定の一定の間隔毎に供給する第２信号選択手段とを具備することを特徴とする。
【００２６】
本発明での制御信号生成手段は前記ドットクロックを利用して前記緑色のデータを所定の周期で供給する制御信号を印加する第１制御信号の生成手段と、前記水平同期信号を利用して前記信号選択手段と第１制御信号の生成手段とに制御信号を印加する第２制御信号生成手段とを具備することを特徴とする。
【００２７】
［作用］
本発明による液晶表示装置の駆動方法及びその駆動装置を、一つの画素内に５個のサブ画素を配置した構造を有する液晶表示装置に適用することにより、その画質における色純度を高め、動画像において輪郭を自然に表示する等、表示品質を向上させることができる。また、新たな駆動方式である本発明の駆動方法及びその駆動装置を用いて、このようなサブ画素配置の構造を有する液晶表示装置を駆動させた際には、従来のドット反転方式と類似する形態にデータの極性を反転させるためフリッカーの影響を低減することも可能である。
【発明の効果】
【００２８】
上述したように、本発明による液晶表示装置の駆動方法及びその駆動装置を、一つの画素内に５個のサブ画素を配置した構造を有する液晶表示装置に適用することにより、その画質における色純度を高め、動画像において輪郭を自然に表示する等、表示品質を向上させることができる。また、新たな駆動方式である本発明の駆動方法及びその駆動装置を用いて、このようなサブ画素配置の構造を有する液晶表示装置を駆動させた際には、従来のドット反転方式と類似する形態にデータの極性を反転させるためフリッカーの影響を低減することも可能である。
【発明を実施するための最良の形態】
【００２９】
以下、図５〜図１３Bを参照して本発明の好ましい実施例に対して説明する。
【００３０】
図５は一般的な液晶表示装置のブロック構成図である。
【００３１】
図５を参照すると、液晶表示装置の駆動装置はアナログ・ビデオ・データをデジタル・ビデオ・データに変換するためのデジタル・ビデオ・カード（２１）と、液晶パネル（２６）のデータライン（ＤＬ）にビデオ・データを供給するためのデータ・ドライバ（２３）と、液晶パネル（２６）のゲートライン（ＧＬ）を逐次的に駆動するためのゲート・ドライバ（２５）と、データ・ドライバ（２３）とゲート・ドライバ（２５）とを制御するためのタイミング・コントローラ（２２）とを具備する。
【００３２】
液晶パネル（２６）の二枚のガラス基板の間には液晶が注入されて、その下部のガラス基板の上にゲートライン（ＧＬ）とデータライン（ＤＬ）が相互に直交して形成される。ゲートライン（ＧＬ）とデータライン（ＤＬ）との交差部にはデータライン（ＤＬ）から入力される画像を液晶セル（Ｃｌｃ）に選択的に供給するためのＴＦＴが形成される。ゲートライン（ＧＬ）にはＴＦＴのゲート端子が接続されて、データライン（ＤＬ）にはＴＥＴのソース端子が接続される。そしてＴＦＴドレイン端子は液晶セル（Ｃｌｃ）の画素電極に接続される。
【００３３】
デジタル・ビデオ・カード（２１）はアナログ入力画像信号を液晶パネル（２６）に適合するデジタル画像信号に変換して画像信号に含まれた同期信号を検出する。
【００３４】
タイミング・コントローラ（２２）はデジタル・ビデオ・カード（２１）からの赤色（Ｒ）、緑色（Ｇ）及び青色（Ｂ）のデジタル・ビデオ・データをデータ・ドライバ（２３）に供給する。また、タイミング・コントローラ（２２）はデジタル・ビデオ・カード（１）から入力される水平/垂直同期信号（Ｈ、Ｖ）を利用してドットクロック（Ｄｃｌｋ）等のデータとゲート・スタート・パルス（Ｇｓｐ）などのゲートの制御信号とを生成してデータ・ドライバ（２３）とゲート・ドライバ（２５）をタイミング制御する。ドットクロック（Ｄｃｌｋ）などのデータの制御信号はデータ・ドライバ（２３）に供給されて、ゲート・スタート・パルス（Ｇｓｐ）などのゲート制御信号はゲート・ドライバ（２５）に供給される。
【００３５】
ゲート・ドライバ（２５）はタイミング・コントローラ（２２）から入力されるゲート・スタート・パルス（Ｇｓｐ）に応答して逐次的にスキャンパルスを発生するシフト・レジスタと、スキャンパルスの電圧を液晶セルの駆動に適合するレベルにシフトさせるためのレベル・シフトなどによって構成される。このゲート・ドライバ（２５）から入力されるスキャンパルスに応答してＴＦＴによりデータライン（ＤＬ）上のビデオ・データが液晶セル（Ｃｌｃ）の画素電極に供給される。
【００３６】
データ・ドライバ（２３）には、タイミング・コントローラ（２２）からの赤色（Ｒ）、緑色（Ｇ）及び青色（Ｂ）のデジタル・ビデオ・データと共にドットクロック（Ｄｃｌｋ）が入力される。このデータ・ドライバ（２３）は、ドットクロック（Ｄｃｌｋ）に同期して赤色（Ｒ）、緑色（Ｇ）及び青色（Ｂ）のデジタル・ビデオ・データをラッチした後に、ラッチされたデータをガンマ電圧（Ｖｒ）により補正する。そしてデータ・ドライバ（３）はガンマ電圧（Ｖｒ）により補正されたデータをアナログ・データに変換して１ライン分ずつデータライン（ＤＬ）に供給する。
【００３７】
図６A及び図６Bは本発明における第１及び第２実施形態の液晶パネルの画素構造と画素へのデータの入力を説明する図面である。
【００３８】
図６A及び図６Bを参照すると、液晶パネルの画素は１個の画素内に配置された５個の異なるカラーサブ画素によって構成されている。
【００３９】
画素（２７）は正四角形の形状を有しており、画素（２７）は、正四角形の画素（２７）の中央部に配置された菱形形態のＢカラーフィルターを有するサブ画素（３０）と、Ｂカラーフィルターを有するサブ画素（３０）を中心に左上段と右下段の端部にそれぞれのＲカラーフィルターを有したサブ画素（２８ａ、２８ｂ）と、Ｂカラーフィルターを有するサブ画素（３０）を中心に左上段と右下段の端部にそれぞれのＧカラーフィルターを有したサブ画素（２９ａ、２９ｂ）とを具備する。
【００４０】
図６Aは４個のサブ画素と１個のＢサブ画素（３０）が二つのゲートラインの間に位置して下段のゲートライン（GＬ２）と上段のゲートライン（GＬ１）に二画素毎に交互に連結される構造であり、図６BでのＢサブ画素（３０）は二つのゲートラインの間に位置して下段のゲートライン（GＬ４）と上段のゲートライン（GＬ３）に一画素毎に交互に連結される構造を示す。これで、Ｂサブ画素（３１）は４画素を基準に二つの画素だけに色を表示する。
【００４１】
また、一画素内に５個のカラーサブ画素を有する液晶パネルの駆動方法は、従来の技術でのデータ・イネーブル信号がＲ、Ｇ、Ｂデータ信号に周期的に印加される方法とは異なりＲデータ・バス及びＧデータ・バスにゲートライン（ＧＬ）毎にＲデータ信号を一度入力すると次はＧデータ信号を交互に入力するという特徴を有する。このとき、R及びGデータ信号が４回入力される間に、Bデータ・バスにBデータ信号が２回入力される。
【００４２】
図６A及び図６Bに示したサブ画素配置の構造を有する液晶パネルを従来のデータ・ドライバを用いて駆動するための新たな駆動方式である本発明の駆動方法を以下に説明する。
【００４３】
＜第１実施形態＞
図７A及び図７Bは図６Aに図示された画素構造と液晶パネルを駆動するための配線のデータ・ドライバへの接続状態とを概略的に表す図面である。
【００４４】
図７A及び図７Bを参照すると、液晶表示装置は６バス方式の入力信号（Ｒｅ、Ｇｅ、Ｂｅ、Ｒｏ、Ｇｏ、Ｂｏ）を入力受けてデータクロックに同期して１〜Ｎ番目のデータライン（ＤＬ１〜ＤＬＮ）にデータ信号を出力する。
【００４５】
本発明ではデータ・ドライバ（２３）に連結される１２個で１組の出力端子の中の２番目と５番目の出力端子をデータライン（ＤＬ）と接続せずに使用する。
【００４６】
以後のデータ・ドライバ（２３）からの８番目と１１番目の出力端子は正常にデータライン（ＤＬ）と接続されてＢサブ画素データを出力するように駆動する。
【００４７】
このような連結方法はＮ番目の出力端子にまですべて適用される。
【００４８】
図８は、図７Bに示されたサブ画素配置の構造を有する液晶パネルにデータを出力するデータドライバ（２３）に含まれるデータ・パルス発生機を詳細に表す図面である。
【００４９】
図８を参照すると、データ・パルス発生機は、タイミングコントローラ（２２）を通してカラー・データ（Ｒ、Ｇ、Ｂ）をデータライン（DL1〜DL3）に選択的に入力する第１〜第４マルチプレクサ（MUX1〜MUX4）、タイミングコントローラ（２２）からの制御信号（Ｄｃｌｋ、Ｈｓｙｎｃ）に応じる第１及び第３D−フリップフロップ（３１、３３）、第１Ｄ−フリップフロップ（３１）と第４マルチプレクサ（ＭＵＸ４）との間に接続された第２Ｄ−フリップフロップ（３２）とから構成される。
【００５０】
第１マルチプレクサ（ＭＵＸ１）は、奇数データがデータライン（DL1〜DL3）に供給され、ｎ番目の水平同期信号（Ｈｓｙｎｃ）が発生されるｎ番目の水平期間において、図９Aに示したように入力されるＲデータ（Ｒ１ａ〜Ｒ４ａ）を第１データライン（ＤＬ１）に出力し、次いで、偶数データがデータライン（ＤＬ１〜ＤＬ３）に供給され、（ｎ＋１）番目の水平同期信号（Ｈｓｙｎｃ）が発生される（ｎ＋１）番目の水平期間において、図９Bに示したように入力されるＧデータ（Ｇ１ｂ〜Ｇ４ｂ）を第１データライン（ＤＬ１）に出力する。第２マルチプレクサ（ＭＵＸ２）は、上記ｎ番目の水平期間において、図９Aに示したように入力されるＧデータ（Ｇ１ａ〜Ｇ４ａ）を第２データライン（ＤＬ２）に出力し、次いで、上記（ｎ＋１）番目の水平期間において、図９Bに示したように入力されるＲデータ（Ｒ１ｂ〜Ｒ４ｂ）を第２データライン（ＤＬ２）に出力する。第３マルチプレクサ（ＭＵＸ３）は、上記ｎ番目の水平期間において、図９Aに示したように入力されるＢデータ（Ｂ３ａ、Ｂ４ａ）を第３データライン（ＤＬ３）に出力し、次いで、上記（ｎ＋１）番目の水平期間において、図９Bに示したように入力されるＢデータ（Ｂ１ｂ、Ｂ２ｂ）を第３データライン（ＤＬ３）に出力する。第４マルチプレクサ（ＭＵＸ４）は、第３マルチプレクサ（ＭＵＸ３）を制御するための制御信号を供給する。尚、第４マルチプレクサ（ＭＵＸ４）を、３状態バッファあるいは制御スイッチに置き換えることも可能である。
【００５１】
第１及び第２D−フリップフロップ（３１、３２）は、直列接続され、４分周したドットクロック（Ｄｃｌｋ）を発生し、４分周したドットクロック（Ｄｃｌｋ）を第４マルチプレクサ（ＭＵＸ４）に供給する。このとき、４分周したドットクロック（Ｄｃｌｋ）は、第１D−フリップフロップ（３１）に入力されたドットクロック（Ｄｃｌｋ）の４分の１に相当する周波数を有する。これは、タイミングコントローラ（２２）からのドットクロック（Ｄｃｌｋ）が第１D−フリップフロップ（３１）のクロック端子（ＣＬＫ）に入力され、第１D−フリップフロップ（３１）の出力端子（Ｑ、¬Ｑ）のうち反転出力端子（¬Ｑ）からの出力信号が第１D−フリップフロップ（３１）の入力端子（Ｄ）に入力され、第１D−フリップフロップ（３１）の非反転出力端子（Ｑ）からの出力信号が第２D−フリップフロップ（３２）のクロック端子（ＣＬＫ）に入力され、次いで、第２D−フリップフロップ（３２）の反転出力端子（¬Ｑ）からの出力信号が第２D−フリップフロップ（３１）の入力端子（Ｄ）に入力されることによって、第２D−フリップフロップ（３２）の非反転出力端子（Ｑ）からの出力信号として発生される。
【００５２】
また、第３D−フリップフロップ（３３）は水平同期信号（Ｈｓｙｎｃ）を２分周し、この２分周した水平同期信号を第１、第２及び第４マルチプレクサ（ＭＵＸ１、ＭＵＸ２、ＭＵＸ４）の制御端子に供給する。このとき、２分周した水平同期信号は、タイミングコントローラ（２２）からの水平同期信号（Ｈｓｙｎｃ）の２分の１に相当する周波数を有する。これは、タイミングコントローラ（２２）からの水平同期信号（Ｈｓｙｎｃ）が第３D−フリップフロップ（３３）のクロック端子（ＣＬＫ）に入力され、第３D−フリップフロップ（３３）の反転出力端子（¬Ｑ）からの出力信号が第３D−フリップフロップ（３３）の入力端子（Ｄ）に入力されることによって、第３D−フリップフロップ（３３）の非反転出力端子（Ｑ）からの出力信号として発生される。
【００５３】
このようにして、第１マルチプレクサ（ＭＵＸ１）は、第３D−フリップフロップ（３３）からの２分周した水平同期信号に応じて上記ｎ番目の水平期間においてＲデータ（Ｒ１ａ〜Ｒ４ａ）を出力し、次いで、上記（ｎ＋１）番目の水平期間においてＧデータ（Ｇ１ｂ〜Ｇ４ｂ）を出力する。第２マルチプレクサ（ＭＵＸ２）は、上記ｎ番目の水平期間においてＧデータ（Ｇ１ａ〜Ｇ４ａ）を出力し、次いで、上記（ｎ＋１）番目の水平期間においてＲデータ（Ｒ１ｂ〜Ｒ４ｂ）を出力する。第３マルチプレクサ（ＭＵＸ３）は、第４マルチプレクサ（ＭＵＸ４）からの４分周したドットクロックに応じて上記ｎ番目の水平期間においてＢデータ（Ｂ３ａ、Ｂ４ａ）を出力し、次いで、上記（ｎ＋１）番目の水平期間においてＢデータ（Ｂ１ａ、Ｂ２ａ）を出力する。
【００５４】
図９A及び図９Bは、図８に示されている駆動装置を通して奇数番目のカラー・データと偶数番目のカラー・データのデータラインへの出力を説明する図面である。
【００５５】
図９A及び図９Bを参照すると、本発明における第１実施形態の液晶表示装置の駆動方法は、一つの画素内に５個のカラーサブ画素を有する液晶パネル（２６）を駆動するために、Ｒデータ・バス、Ｇデータ・バス及びBデータ・バスを介して、水平期間毎にRデータとGデータを交互に、かつ互いに異なるBデータを交互に、データラインへ供給する。
【００５６】
＜第２実施形態＞
図１０A及び図１０Bは図６Bに図示された画素構造と配線の液晶パネルを駆動するためのデータ・ドライバの接続状態とを概略的に表す図面である。
【００５７】
図１０A及び図１０Bを参照すると、液晶表示装置は図７A及び図７Bに示された６バス方式の入力信号（Ｒｅ、Ｇｅ、Ｂｅ、Ｒｏ、Ｇｏ、Ｂｏ）を入力として受けてデータクロックに同期する方法とは異なり、６バス方式の入力信号（Ｒｅ、Ｇｅ、Ｂｅ、Ｒｏ、Ｇｏ、Ｂｏ）を入力として１からＮ番目のデータライン（ＤＬ１〜ＤＬＮ）に出力を供給する。
【００５８】
本発明ではデータ・ドライバ（２３）に連結される出力端子で１２個で１組の出力端子の内の２番目と８番目の出力端子をデータライン（ＤＬ）と接続せずに使用する。
【００５９】
以後のデータ・ドライバ（２３）からの５番目と１１番目の出力端子は正常にデータライン（ＤＬ）に連結されてＢデータを出力する。
【００６０】
上記のような連結方法はＮ番目の出力端子にまですべて適用される。
【００６１】
図１１は、図１０Bに示されているような画素にデータを発生させるためのデータパルス発生機を詳細に表す図面である。
【００６２】
図１１を参照すると、データドライバ(２３)に含まれるデータパルス発生機は、上述したようにタイミング・コントローラ（２２）を通してデータライン（ＤＬ１〜ＤＬ３）への画素データの選択的な出力を制御する第１〜第４マルチプレクサ（ＭＵＸ１〜ＭＵＸ４）と、タイミング・コントローラ（２２）からの制御信号が入力されて制御される第４及び第５Ｄ−フリップフロップ（３４、３５）とから構成される。
【００６３】
第１マルチプレクサ（ＭＵＸ１）は、ｎ番目の水平同期信号（Ｈｓｙｎｃ）が発生されるｎ番目の水平期間において、図１２Aに示したように入力されるＲデータ（Ｒ１ａ〜Ｒ４ａ）を出力し、次いで、（ｎ＋１）番目の水平同期信号（Ｈｓｙｎｃ）が発生される（ｎ＋１）番目の水平期間において、図１２Bに示したように入力されるＧデータ（Ｇ１ａ〜Ｇ４ａ）を出力する。第２マルチプレクサ（ＭＵＸ２）は、上記ｎ番目の水平期間において、図１２Aに示したように入力されるＧデータ（Ｇ１ａ〜Ｇ４ａ）を出力し、次いで、上記（ｎ＋１）番目の水平期間において、図１２Bに示したように入力されるＲデータ（Ｒ１ｂ〜Ｒ４ｂ）を出力する。第３マルチプレクサ（ＭＵＸ３）は、上記ｎ番目の水平期間において、図１２Aに示したように入力されるＢデータ（Ｂ２ａ、Ｂ４ａ）を出力し、次いで、上記（ｎ＋１）番目の水平期間において、図１２Bに示したように入力されるＢデータ（Ｂ１ｂ、Ｂ３ｂ）を出力する。第４マルチプレクサ（ＭＵＸ４）は、第５Ｄ−フリップフロップ（３５）からの２分周した水平同期信号に応じて、第４Ｄ−フリップフロップ（３４）からの２分周したドットクロックを第３マルチプレクサ（ＭＵＸ３）の制御端子に供給し、第３マルチプレクサ（ＭＵＸ３）を制御する。
【００６４】
第４Ｄ−フリップフロップ（３４）は、タイミングコントローラ（２２）からのドットクロック（Ｄｃｌｋ）を２分周し、この２分周したドットクロックを第４マルチプレクサ（ＭＵＸ４）に供給する。第５Ｄ−フリップフロップ（３５）は、タイミングコントローラ（２２）からの水平同期信号（Ｈｓｙｎｃ）を２分周し、この２分周した水平同期信号を第１、第２及び第４マルチプレクサ（ＭＵＸ１、ＭＵＸ２、ＭＵＸ４）の制御端子に供給し、第１、第２及び第４マルチプレクサ（ＭＵＸ１、ＭＵＸ２、ＭＵＸ４）を制御する。
【００６５】
このとき、第４Ｄ−フリップフロップ（３４）のクロック端子（ＣＬＫ）にはタイミングコントローラ（２２）からのドットクロック（Ｄｃｌｋ）が入力され、第４Ｄ−フリップフロップ（３４）の反転出力端子（¬Ｑ）からの出力信号は第４Ｄ−フリップフロップ（３４）の入力端子（Ｄ）に入力される。第４Ｄ−フリップフロップ（３４）の非反転出力端子（Ｑ）からの出力信号は第４マルチプレクサ（ＭＵＸ４）の入力端子に入力される。第４マルチプレクサ（ＭＵＸ４）の出力は第３マルチプレクサ（ＭＵＸ３）の制御端子に入力される。また、第５Ｄ−フリップフロップ（３５）のクロック端子（ＣＬＫ）にはタイミングコントローラ（２２）からの水平同期信号（Ｈｓｙｎｃ）が入力され、第５Ｄ−フリップフロップ（３５）の反転出力端子（¬Ｑ）からの出力信号は第５Ｄ−フリップフロップ（３５）の入力端子（Ｄ）に入力される。第５Ｄ−フリップフロップ（３５）の非反転出力端子（Ｑ）からの出力信号は第１、第２及び第４マルチプレクサ（ＭＵＸ１、ＭＵＸ２、ＭＵＸ４）の制御端子に入力される。
【００６６】
タイミングコントローラ（２２）からの水平同期信号（Ｈｓｙｎｃ）は、第５Ｄ−フリップフロップ（３５）によって２分周され、第５Ｄ−フリップフロップ（３５）の非反転出力端子（Ｑ）から出力信号として出力される。
【００６７】
更に、タイミングコントローラ（２２）からのドットクロック（Ｄｃｌｋ）は、第４Ｄ−フリップフロップ（３４）によって２分周され、第４Ｄ−フリップフロップ（３４）の非反転出力端子（Ｑ）から出力信号として出力され、第４マルチプレクサ（ＭＵＸ４）の入力端子に入力される。
【００６８】
このようにして、第１マルチプレクサ（ＭＵＸ１）は、第５Ｄ−フリップフロップ（３５）の非反転出力端子（Ｑ）の出力に応じて、上記ｎ番目の水平期間においてＲデータ（Ｒ１ａ〜Ｒ４ａ）を出力し、次いで、上記（ｎ＋１）番目の水平期間においてＧデータ（Ｇ１ｂ〜Ｇ４ｂ）を出力する。第２マルチプレクサ（ＭＵＸ２）は、第５Ｄ−フリップフロップ（３５）の非反転出力端子（Ｑ）の出力に応じて、上記ｎ番目の水平期間においてＧデータ（Ｇ１ａ〜Ｇ４ａ）を出力し、次いで、上記（ｎ＋１）番目の水平期間においてＲデータ（Ｒ１ｂ〜Ｒ４ｂ）を出力する。第３マルチプレクサ（ＭＵＸ３）は、第４マルチプレクサ（ＭＵＸ４）の出力に応じて、上記ｎ番目の水平期間においてＢデータ（Ｂ２ａ、Ｂ４ａ）を出力し、次いで、上記（ｎ＋１）番目の水平期間においてＢデータ（Ｂ１ｂ、Ｂ３ｂ）を出力する。
【００６９】
図１２A及び図１２Bは、図１１に示した駆動装置により、データドライバを通じてデータライン（ＤＬ１〜ＤＬ３）に出力される奇数番目及び偶数番目のカラー・データを示している。
【００７０】
図１２A及び図１２Bを参照すると、本実施形態における液晶表示装置の駆動方法においても、上記第１実施形態として示した図９A及び図９Bで説明したように、一つの画素内に５個のサブ画素を有する液晶パネルを駆動させるために、Ｒデータ・バス、Ｇデータ・バス及びBデータ・バスを介して、水平期間毎にＲデータとＧデータを交互に、かつ互いに異なるＢデータを交互に、データラインへ供給する。
【００７１】
図６A〜図１２Bは、従来のデータ・ドライバの出力端子のうちの一部を断線し、一つの画素に含まれたＢサブ画素と他の画素に含まれたＢサブ画素とを、同一のＢデータ・バスを介してＢデータを時分割供給する実施例を示している。
【００７２】
このような画素形態に構成された液晶パネルを駆動するために新しい形態のデータ・ドライバを製作して使用してもよい。
【００７３】
具体的には、通常のデータ・ドライバは３サブ画素のカラーサブ画素を出力するので３８４チャンネルのという３倍数の出力チャンネルを有するが、本発明の場合、６カラーサブ画素を発生させる過程の中のカラーサブ画素（Ｂカラーサブ画素）の出力単位を短絡（ｓｈｏｒｔｅｄ）させるので、データ・ドライバから出力端子は３２０チャンネルという５倍数のチャンネルだけで足りる。これで５倍数のチャンネルを有するデータ・ドライバを駆動して画素を駆動することができる。
【００７４】
図１３A及び図１３Bは、図６A及び図６Bに示したサブ画素配置の構造を有した液晶パネルを本発明の駆動方法により駆動した際に、液晶パネルの画素に供給されたデータ信号などの極性のパターンを図示した図面である。図１３Aは、ｎ番目のフレーム期間において各画素に印加されるデータの極性を示しており、図１３Bは、（ｎ＋１）番目のフレーム期間において各画素に印加されるデータの極性を示している。
【００７５】
図１３A及び図１３Bを参照すると、正四角形の内の菱形が内接された形態で画素がマトリックス形態に配列されている。
【００７６】
図１３Aに示されている１番目の画素では中央の菱形形態のＢデータに隣接して左上段と右上段の極性は正極性（＋）であり、左下段と右下段の極性は負極性（−）を帯びる。この時、中央のＢデータの極性は正極性（＋）を帯びる。
【００７７】
２番目の画素では中央の菱形形態のＢデータに隣接して左上段と右上段の極性は負極性（−）であり、左下段と右下段の極性は正極性（−）を帯びる。この時、中央のＢデータの極性は負極性（−）を帯びる。
【００７８】
３番目の画素では中央の菱形形態のＢデータに隣接して左上段と右上段の極性は正極性（＋）であり、左下段と右下段の極性は負極性（−）を帯びる。この時、中央のＢデータの極性は正極性（＋）を帯びる。
【００７９】
４番目の画素では中央の菱形形態のＢデータに隣接して左上段と右上段の極性は負極性（−）であり、左下段と右下段の極性は正極性（＋）を帯びる。この時、中央のＢデータの極性は負極性（−）を帯びる。
【００８０】
図１３Bでの１番目の画素では中央の菱形形態のＢデータに隣接して左上段と右上段の極性は負極性（−）であり、左下段と右下段の極性は正極性（＋）を帯びる。この時、中央のＢデータの極性は負極性（−）を帯びる。
【００８１】
２番目の画素では中央の菱形形態のＢデータに隣接して左上段と右上段の極性は正極性（＋）であり、左下段と右下段の極性は負極性（−）を帯びる。この時、中央のＢデータの極性は正極性（＋）を帯びる。
【００８２】
３番目の画素では中央の菱形形態のＢデータに隣接して左上段と右上段の極性は負極性（−）であり、左下段と右下段の極性は正極性（＋）を帯びる。この時、中央のＢデータの極性は負極性（−）を帯びる。
【００８３】
４番目の画素では中央の菱形形態のＢデータに隣接して左上段と右上段の極性は正極性（＋）であり、左下段と右下段の極性は負極性（−）を帯びる。この時、中央のＢデータの極性は正極性（＋）を帯びる。
【００８４】
上記の方法により本発明に従った液晶パネルの画素に供給されたデータ信号の極性パターンは、図１３A及び図１３Bを交互に繰り返して全パネルにかけてサブ画素別に電圧充電極性を有する。
【００８５】
以上説明した内容を通して当業者であれば本発明の技術思想を逸脱しない範囲で多様な変更及び修正の可能であることが分かる。従って、本発明の技術的な範囲は明細書の詳細な説明に記載された内容に限らず特許請求の範囲によって定めなければならない。
【図面の簡単な説明】
【００８６】
【図１】図１は一般的な液晶表示装置をブロック構成図に表した図面である。
【図２】図２は図１の液晶表示装置の画素とＴＦＴ構造の関係を詳細に表した図面である。
【図３】図３は図１に図示された液晶表示装置の従来の技術によるＲＧＢカラーフィルターの配列状態とゲート・ドライバ及びデータ・ドライバの接続状態を表す図面である。
【図４Ａ】図４Aは従来の技術によるドット反転方式を表す図面である。
【図４Ｂ】図４Bは従来の技術によるドット反転方式を表す図面である。
【図５】図５は本発明での液晶表示装置をブロック構成図に表す図面である。
【図６Ａ】図６Aは本発明の第１及び第２実施例による液晶パネルの画素構造と画素へのデータの入力を説明する図面である。
【図６Ｂ】図６Bは本発明の第１及び第２実施例による液晶パネルの画素構造と画素へのデータの入力を説明する図面である。
【図７Ａ】図７Aは図６Aに図示された画素構造及び配線の液晶パネルを駆動するためのデータ・ドライバの接続状態を表す図面である。
【図７Ｂ】図７Bは図６Aに図示された画素構造及び配線の液晶パネルを駆動するためのデータ・ドライバの接続状態を表す図面である。
【図８】図８は図７A及び図７Bでのような画素にデータを出力するためのデータパルス発生機を詳細に表す図面である。
【図９Ａ】図９Aは図８での駆動装置を通して奇数及び偶数のカラーデータのデータラインへの出力を説明する図面である。
【図９Ｂ】図９Bは図８での駆動装置を通して奇数及び偶数のカラーデータのデータラインへの出力を説明する図面である。
【図１０Ａ】図１０Aは図６Bに図示された画素構造及び配線の液晶パネルを駆動するためのデータ・ドライバの接続状態を概略的に表す図面である。
【図１０Ｂ】図１０Bは図６Bに図示された画素構造及び配線の液晶パネルを駆動するためのデータ・ドライバの接続状態を概略的に表す図面である。
【図１１】図１１は図１０A及び図１０Bに示されているような画素にデータを出力するためのデータパルス発生機を詳細に表す図面である。
【図１２Ａ】図１２Aは図１１での駆動装置を通して奇数及び偶数のカラーデータのデータ・ドライバを通してのデータラインへの出力を表す図面である。
【図１２Ｂ】図１２Bは図１１での駆動装置を通して奇数及び偶数のカラーデータのデータ・ドライバを通してのデータラインへの出力を表す図面である。
【図１３Ａ】図１３Aは図６A及び図６Bに図示された液晶パネルの駆動方法により液晶パネルの画素に供給されたデータ信号の極性パターンを図示した図面である。
【図１３Ｂ】図１３Bは図６A及び図６Bに図示された液晶パネルの駆動方法により液晶パネルの画素に供給されたデータ信号の極性パターンを図示した図面である。
【符号の説明】
【００８７】
１、２１：デジタル・ビデオ・カード
２、２２：タイミング・コントローラ
３、２３：データ・ドライバ
５、２５：ゲート・ドライバ
６、２６：液晶パネル
１２ａ、１２ｂ、１２ｃ：画素電極
１４：ＴＦＴ
１６：画素
２７：画素
２８：Ｒカラーフィルターを有するサブ画素
２９：Ｇカラーフィルターを有するサブ画素
３０：Ｂカラーフィルターを有するサブ画素
３１、３２、３３、３４、３５：Ｄーフリップフロップ
【図１】
2008224743.tif 000003
【図２】
2008224743.tif 000004
【図３】
2008224743.tif 000005
【図４Ａ】
2008224743.tif 000006
【図４Ｂ】
2008224743.tif 000007
【図５】
2008224743.tif 000008
【図６Ａ】
2008224743.tif 000009
【図６Ｂ】
2008224743.tif 000010
【図７Ａ】
2008224743.tif 000011
【図７Ｂ】
2008224743.tif 000012
【図８】
2008224743.tif 000013
【図９Ａ】
2008224743.tif 000014
【図９Ｂ】
2008224743.tif 000015
【図１０Ａ】
2008224743.tif 000016
【図１０Ｂ】
2008224743.tif 000017
【図１１】
2008224743.tif 000018
【図１２Ａ】
2008224743.tif 000019
【図１２Ｂ】
2008224743.tif 000020
【図１３Ａ】
2008224743.tif 000021
【図１３Ｂ】
2008224743.tif 000022